(57)【特許請求の範囲】
【請求項１】
保守対象の画像形成装置について保守作業情報の履歴を記憶する管理装置とネットワークを介して接続されている状態において、前記管理装置より前記履歴を取得し、保守履歴記憶手段に記録する保守作業情報取得手段と、
前記画像形成装置において所定の周期で記録されている複数の種別の画像制御電圧情報の履歴を、前記画像形成装置とネットワークを介して接続されている状態において前記画像形成装置より取得する電圧情報取得手段と、
前記画像制御電圧情報の履歴と、前記保守履歴記憶手段に記録されている前記保守作業情報の履歴とを、双方の履歴に含まれている時間情報に基づいて時間軸上で同期させ、同期された状態で前記画像制御電圧情報の履歴と前記保守作業情報の履歴とを表示手段に表示させる表示制御手段とを有する保守作業支援装置。
【請求項２】
保守対象の画像形成装置について保守作業情報の履歴を記憶する管理装置とネットワークを介して接続されている状態において、前記管理装置より前記履歴を取得し、保守履歴記憶手段に記録する保守作業情報取得手順と、
前記画像形成装置において所定の周期で記録されている複数の種別の画像制御電圧情報の履歴を、前記画像形成装置とネットワークを介して接続されている状態において前記画像形成装置より取得する電圧情報取得手順と、
前記画像制御電圧情報の履歴と、前記保守履歴記憶手段に記録されている前記保守作業情報の履歴とを、双方の履歴に含まれている時間情報に基づいて時間軸上で同期させ、同期された状態で前記画像制御電圧情報の履歴と前記保守作業情報の履歴とを表示手段に表示させる表示制御手順とをコンピュータが実行する保守作業支援方法。
【発明の詳細な説明】
【技術分野】
【０００１】
本発明は、保守作業支援装置及び保守作業支援方法に関する。
【背景技術】
【０００２】
プリンタ、複写機、ファクシミリ、又は複合機等の画像形成装置（以下、単に「機器」という。）においては、用紙の紙詰まり（ジャム）等のトラブルを皆無にすることは非常に困難である。そのため、トラブルが発生した場合でも、極力ユーザ自身によってトラブルを解消できるようするするため、機器には様々な工夫がなされている。
【０００３】
しかしながら、専門の保守員でなければ回復できないようなトラブルが発生する場合も有る。また、トラブルの発生を未然に防止し、機器の動作を安定させるために各種の専門的な作業も必要とされる。例えば、機器は、画像形成時において用紙を搬送させるための部品として、コロやローラ等を有する。これらの部品の中には長時間の使用によって徐々に摩耗してしまう消耗品もある。機器の安定動作を保証するためには、このような消耗部品に関して、保守員による、定期的で適切なタイミング（経過使用枚数等）における交換作業が必要とされる。
【０００４】
そこで、機器メーカー又は販売会社とユーザとの間で保守に関する契約（保守契約）が結ばれる。保守契約を結んだユーザは、保守員による定期的な清掃や消耗部品の交換作業等の保守作業や、トラブル発生時における迅速な対応等のサービスを受けることができる。
【０００５】
なお、保守作業の内容は、例えば、以下のように分類される。
（１）経過使用枚数や時間を基準として各種の消耗部品を定期的に交換する予防保全のための保守作業。
（２）定期的な消耗部品の交換は伴わないが、機器を良好な状態に保つために、定期的に機器内部及び外部の清掃、調整、並びに注油等の作業を行う保守作業。
（３）保守員でなければ修復できない、ユーザから申告されたトラブルを修復するための保守作業。
（４）機器の使用方法の支援等、上記（１）〜（３）に該当しないその他の保守作業(例えば、カウンターの検針や操作支援等)。
【０００６】
以上のような保守作業を効率化し、機器に関して常に良好な状態をユーザに提供すべく、従来、ネットワークを介し遠隔的に機器を監視するシステム（以下、「遠隔管理システム」という。）が構築されている。遠隔管理システムによれば、機器において異常状態や異常の事前状態が検知された場合に、その時の機器の状態情報等がサーバに自動的に転送される。コールセンタのオペレータ又は保守員等は、転送された情報に基づいて保守作業を行う。
【０００７】
斯かる遠隔管理システムによれば、ユーザによるトラブルの発生の申告の必要性を低減させることができる。ユーザは、オペレータから連絡を受けることができるからである。また、トラブルを解消するために派遣される保守員は、事前に転送されている情報に基づいて機器の状態を把握することができるため、トラブル解消のための作業を効率的かつ的確に行うことができる。
【発明の概要】
【発明が解決しようとする課題】
【０００８】
しかしながら、異常等の検知に応じて自動的に又は定期的に（すなわち、ユーザの知らない間に）機器内の情報がオフィス等の外部に転送されるという仕組みについて、セキュリティ上の観点より不安又は抵抗感を覚え、遠隔管理システムの導入を拒否するユーザも存在する。斯かる事情は、遠隔管理システムにおいて、機器と外部のサーバ間との間にセキュアな通信経路が確保されている場合でも同様である。
【０００９】
このような遠隔管理システムの導入を拒否するユーザに関しては、例えば、画像不良障害等の異常が発生した場合、保守員は、保守作業の現場（すなわち、ユーザ先）において、遠隔管理システムに蓄積されている情報を確認することが困難である。その結果、有効な保守作業を提供することが困難になりかねない。
【００１０】
本発明は、上記の点に鑑みてなされたものであって、外部のネットワークから隠蔽された画像形成装置の異常発生時における保守作業を適切に支援することのできる保守作業支援装置及び保守作業支援方法の提供を目的とする。
【課題を解決するための手段】
【００１１】
そこで上記課題を解決するため、本発明は、保守対象の画像形成装置について保守作業情報の履歴を記憶する管理装置とネットワークを介して接続されている状態において、前記管理装置より前記履歴を取得し、保守履歴記憶手段に記録する保守作業情報取得手段と、前記画像形成装置において所定の周期で記録されている複数の種別の画像制御電圧情報の履歴を、前記画像形成装置とネットワークを介して接続されている状態において前記画像形成装置より取得する電圧情報取得手段と、前記画像制御電圧情報の履歴と、前記保守履歴記憶手段に記録されている前記保守作業情報の履歴とを、双方の履歴に含まれている時間情報に基づいて時間軸上で同期させ、同期された状態で前記画像制御電圧情報の履歴と前記保守作業情報の履歴とを表示手段に表示させる表示制御手段とを有する。
【００１２】
このような保守作業支援装置では、外部のネットワークから隠蔽された画像形成装置の異常発生時における保守作業を適切に支援することができる。
【発明の効果】
【００１３】
本発明によれば、外部のネットワークから隠蔽された画像形成装置の異常発生時における保守作業を適切に支援することができる。
【図面の簡単な説明】
【００１４】
【図１】本発明の実施の形態の保守作業支援システム構成例を示す図である。
【図２】本発明の実施の形態における画像形成装置のハードウェア構成例を示す図である。
【図３】本発明の実施の形態における保守員端末のハードウェア構成例を示す図である。
【図４】本発明の実施の形態における保守管理サーバ及び保守員端末のソフトウェア構成例を示す図である。
【図５】ウィジェット及びウィジェットマネージャの機能構成例及び画像形成装置のソフトウェア構成例を示す図である。
【図６】保守管理サーバからの保守作業情報の履歴のダウンロード処理の処理手順を説明するためのシーケンス図である。
【図７】保守作業情報の履歴の一例を示す図である。
【図８】ウィジェットマネージャ及び保守作業支援ウィジェットの起動時の処理手順を説明するためのシーケンス図である。
【図９】ユーザ管理テーブルの構成例を示す図である。
【図１０】保守作業支援ウィジェットのウィジェット情報の例を示す図である。
【図１１】実行可能なウィジェットの一覧の表示処理の処理手順を説明するためのシーケンス図である。
【図１２】ユーザ選択画面の表示例を示す図である。
【図１３】ウィジェットマネージャから画像形成装置に送信される保守作業支援ウィジェットのウィジェット情報の構成例を示す図である。
【図１４】ウィジェット選択画面の表示例を示す図である。
【図１５】画像制御電圧マークシートの一例を示す図である。
【図１６】保守作業支援ウィジェットの実行時の処理手順を説明するためのシーケンス図である。
【図１７】保守作業情報の履歴と画像制御電圧情報の履歴との合成結果の表示例を示す図である。
【図１８】保守管理サーバへの障害関連情報のアップロード処理の処理手順を説明するためのシーケンス図である。
【図１９】履歴記録方法設定画面の表示例を示す図である。
【図２０】画像制御電圧マークシートを用いた履歴の記録方法の設定処理の処理手順を説明するためのシーケンス図である。
【図２１】保守作業マークシートの一例を示す図である。
【発明を実施するための形態】
【００１５】
以下、図面に基づいて本発明の実施の形態を説明する。図１は、本発明の実施の形態の保守作業支援システム構成例を示す図である。同図には、保守管理サーバ５０、画像形成装置１０、及び保守員端末２０等が示されている。
【００１６】
保守管理サーバ５０は、例えば、画像形成装置１０の販売者又は製造者等、画像形成装置１０の保守サービスの提供者側（保守管理環境５）に設置されているコンピュータである。保守管理サーバ５０は、保守契約の対象（保守対象）とされている全ての画像形成装置１０に関して、保守作業情報の履歴を含め、保守作業に関する各種の情報を管理する。
【００１７】
画像形成装置１０は、印刷、スキャン、コピー、及びＦＡＸ送受信等の機能を一台の筐体によって実現する複合機である。画像形成装置１０は、本実施の形態において、保守対象の機器として位置付けられる。画像形成装置１０は、顧客環境１に設置されている。顧客環境１は、画像形成装置１０のユーザのオフィス等におけるコンピュータシステムである。すななち、本実施の形態において、顧客とは、画像形成装置１０のユーザをいう。一つの顧客環境１において複数の画像形成装置１０が設置されうる。なお、画像形成装置１０は、外部のネットワークからは隠蔽されている。したがって、保守管理サーバ５０は、画像形成装置１０と通信を行うことはできない。
【００１８】
保守員端末２０は、保守管理環境５に属する保守員が利用するノートＰＣ（Personal Computer）、ＰＤＡ（Personal Digital Assistance）、又は携帯電話等の携帯型（可搬性の有る）のコンピュータである。保守員端末２０は、保守作業支援装置の一例である。保守員端末２０は、保守管理環境５において、ＬＡＮ（Local Area Network）等のネットワーク６０（有線又は無線の別は問わない。）を介して保守管理サーバ５０に接続される。保守員端末２０は、保守管理サーバ５０と接続された状態において、画像形成装置１０に関する保守作業情報の履歴を保守管理サーバ５０よりダウンロードする。保守作業情報とは、保守作業の内容を示す情報をいい、例えば、保守作業を行った時期（日付又は日時等）を示す時間情報、及び交換された部品や清掃箇所等を示す情報等を含む。保守作業情報は、定期的又は非定期な保守作業を終えた保守員によって、例えば、保守員端末２０に入力される。保守員端末２０に入力された保守作業情報は、保守員端末２０がネットワーク６０に接続された際に、保守管理サーバ５０に転送され、保守作業情報の新たな履歴として蓄積される。
【００１９】
画像形成装置１０において、例えば、画像不良障害等の異常が発生すると、保守員は、保守作業情報の履歴がダウンロードされた保守員端末２０を、顧客環境１へ持参する。画像不良障害とは、不良画像が出力（印刷）される現象をいう。不良画像とは、黒い帯又はスジ等の不要な描画が行われている画像や、画像形成装置１０の本来の性能に比して画質が劣化している画像をいう。
【００２０】
顧客環境１において、保守員端末２０は、ＬＡＮ等のネットワーク４０（有線又は無線の別は問わない。）を介して画像形成装置１０に接続される。保守員端末２０は、画像形成装置１０と接続された状態において、画像形成装置１０に記録されている、画像制御電圧情報の履歴を画像形成装置１０よりダウンロードする。画像制御電圧とは、例えば、トナー濃度センサの電圧やドラムの表面上のベース電圧等、画像形成に関する各種の部品ごとの電圧（画像制御電圧）の値をいう。画像制御電圧情報とは、画像制御電圧が計測された時期（日付又は日時等）を示す時間情報、部品の識別子、及び電圧値等を含む情報をいう。画像形成装置１０は、予め設定された周期で各部品の画像制御電圧を計測し、該計測値に係る画像制御電圧情報を当該画像形成装置１０の記憶装置内に記録する。当該周期は、時間又は稼動量（例えば、印刷枚数）等によって規定される。画像形成装置１０には、予め設定された周期数分の画像制御電圧情報の履歴が蓄積される。
【００２１】
画像制御電圧情報の履歴が保守員端末２０にダウンロードされるのは、画像制御電圧の時系列における推移が、異常の発生した画像形成装置１０における異常（特に、画像不良障害）の発生時期の推定に非常に有効な情報だからである。すなわち、画像制御電圧の時間の経過に応じた推移（変動）が特定のパターンに当てはまる場合、画像形成装置１０に異常が発生した時期を推定することができる。
【００２２】
画像制御電圧情報の履歴のダウンロード後、保守員端末２０は、保守管理サーバ５０より予めダウンロードされている保守作業情報の履歴と、画像形成装置１０よりダウンロードされた各画像制御電圧情報の履歴と合成する。より詳しくは、保守員端末２０は、保守作業情報及び各画像制御電圧情報の双方に含まれている時間情報に基づいて、各履歴を同期させた上で双方の履歴を合成する。保守員端末２０は、合成された状態で、各履歴を表示させる。保守員は、時間軸上において同期された保守作業情報及び各画像制御電圧情報を参照して、例えば、画像不良障害の原因を推定する。すなわち、保守員は、画像制御電圧の推移によって、画像不良障害の発生時期を推定する。画像制御電圧情報と保守作業情報とは、時間軸上で同期されているため、保守員は、当該発生時期付近（特に前）に行われた保守作業を容易に特定することができる。保守員は、特定された保守作業において行われた作業内容（例えば、交換された部品）等を確認することにより、画像不良障害の原因を絞り込むことができる。すなわち、保守員は、当該保守作業において交換された部品、又は作業対象とされた部品と、画像形成装置１０の動作メカニズムを考慮して、異常の原因となっている箇所を推定することができる。
【００２３】
なお、画像不良障害の再現性の状況や、不良画像原稿も、原因特定の有効な資料として扱われる。
【００２４】
但し、上記の作業では原因を特定出来ない場合もある。非常に再現性が低い場合や再現性に規則性が無い場合等は、原因の特定は特に困難である。このようなケースでは、画像制御電圧情報の履歴が上記特定のパターンに当てはまらないことが多いことも、当該原因の特定が困難となる理由である。
【００２５】
このような場合、保守員は、保守管理環境５のヘルプデスク等の専門度が更に高い部署へ電話し、ヘルプデスクの担当者の指示にしたがって復旧作業を継続する。しかし、再現性が低いケースの場合、電話中に再現するとは限らない。また、不良画像原稿の状態を口頭でヘルプデスクの担当者に説明したとしても、実際に不良画像原稿を見る場合に比べて、説明による情報量は限られてしまう。
【００２６】
そこで、保守員が、不良画像原稿又はそのコピーを保守管理環境５に持ち帰り、他の保守員又はヘルプデスクの担当者等に当該不良画像原稿を直接見せることができれば、原因特定のために非常に有効である。
【００２７】
但し、不良画像原稿に機密事項等が記載されている場合がある。また、機密事項が記載されていない場合であっても、不良画像原稿に記載されている内容は顧客の資産である。したがって、顧客の許可を得ないで、不良画像原稿を持ち出すことはできない。
【００２８】
保守員端末２０は、画像形成装置１０と連携して、保守員が不良画像原稿を持ち帰るための顧客による許可の獲得、及び不良画像原稿の保存等に関する処理も実行する。すなわち、不良画像原稿の持ち出しの許可が顧客より得られた場合、画像形成装置１０においてスキャンされた不良画像原稿のスキャン画像（以下、「不良画像データ」という。）が、保守員端末２０に転送（ダウンロード）される。
【００２９】
その後、保守員は、画像制御電圧情報及び不良画像データ等がダウンロードされた保守員端末２０を保守管理環境５に持ち帰る。保守管理環境５において、保守員端末２０は、再び保守管理サーバ５０に接続される。保守管理サーバ５０に接続された状態において、保守員端末２０は、画像制御電圧情報及び不良画像データ等を保守管理サーバ５０にアップロードする。保守管理環境５では、保守管理サーバ５０にアップロードされた不良画像データ等を用いて、原因の特定が行われる。
【００３０】
このように、保守員端末２０が保守管理サーバ５０と画像形成装置１０との媒介となることにより、保守管理サーバ５０と画像形成装置１０とがネットワークを介して通信可能でない状態でも、保守員は、顧客環境１において保守作業情報の履歴を参照することができる。また、画像形成装置１０において蓄積されている画像制御電圧情報等や、不良画像データ等を保守管理サーバ５０において管理することが可能となる。
【００３１】
続いて、各装置のハードウェア構成について説明する。図２は、本発明の実施の形態における画像形成装置のハードウェア構成例を示す図である。図２において、画像形成装置１０は、コントローラ１１、スキャナ１２、プリンタ１３、モデム１４、操作パネル１５、ネットワークインタフェース１６、及びＳＤカードスロット１７等のハードウェアを有する。
【００３２】
コントローラ１１は、ＣＰＵ１１１、ＲＡＭ１１２、ＲＯＭ１１３、及びＨＤＤ１１４等を有する。ＲＯＭ１１３には、各種のプログラム（ファームウェア等）やプログラムによって利用されるデータ等が記録されている。なお、本実施の形態において、ＲＯＭ１１３は、フラッシュＲＯＭ等、書き換え可能な不揮発性のメモリである。ＲＡＭ１１２は、プログラムをロードするための記憶領域や、ロードされたプログラムのワーク領域等として用いられる。ＣＰＵ１１１は、ＲＡＭ１１２にロードされたプログラムを処理することにより、各種の機能を実現する。ＨＤＤ１１４には、プログラムやプログラムが利用する各種のデータ等が記録される。
【００３３】
スキャナ１２は、原稿より画像データを読み取るためのハードウェア（画像読取手段）である。プリンタ１３は、印刷データを印刷用紙に印刷するためのハードウェア（印刷手段）である。モデム１４は、電話回線に接続するためのハードウェアであり、ＦＡＸ通信による画像データの送受信を実行するために用いられる。操作パネル１５は、操作者からの入力の受け付けを行うためのボタン等の入力手段や、液晶パネル等の表示手段を備えたハードウェアである。ネットワークインタフェース１６は、ＬＡＮ等のネットワーク（有線又は無線の別は問わない。）に接続するためのハードウェアである。ＳＤカードスロット１７は、ＳＤカード８０に記録されたプログラムを読み取るために利用される。すなわち、画像形成装置１０では、ＲＯＭ１１３に記録されたプログラムだけでなく、ＳＤカード８０に記録されたプログラムもＲＡＭ１１２にロードされ、実行されうる。
【００３４】
図３は、本発明の実施の形態における保守員端末のハードウェア構成例を示す図である。図３の保守員端末２０は、それぞれバスＢで相互に接続されているドライブ装置２００と、補助記憶装置２０２と、メモリ装置２０３と、ＣＰＵ２０４と、インタフェース装置２０５と、表示装置２０６と、入力装置２０７とを有する。
【００３５】
保守員端末２０での処理を実現するプログラムは、ＣＤ−ＲＯＭ等の記録媒体２０１によって提供される。プログラムを記録した記録媒体２０１がドライブ装置２００にセットされると、プログラムが記録媒体２０１からドライブ装置２００を介して補助記憶装置２０２にインストールされる。但し、プログラムのインストールは必ずしも記録媒体２０１より行う必要はなく、ネットワークを介して他のコンピュータよりダウンロードするようにしてもよい。補助記憶装置２０２は、インストールされたプログラムを格納すると共に、必要なファイルやデータ等を格納する。
【００３６】
メモリ装置２０３は、プログラムの起動指示があった場合に、補助記憶装置２０２からプログラムを読み出して格納する。ＣＰＵ２０４は、メモリ装置２０３に格納されたプログラムに従って保守員端末２０に係る機能を実現する。インタフェース装置２０５は、ネットワークに接続するためのインタフェースとして用いられる。表示装置２０６はプログラムによるＧＵＩ（Graphical User Interface）等を表示する。入力装置２０７はキーボード及びマウス等で構成され、様々な操作指示を入力させるために用いられる。
【００３７】
なお、保守管理サーバ５０は、図３に示されるハードウェアを有していればよい。但し、表示装置２０６及び入力装置２０７は、保守管理サーバ５０には必ずしも必要ではない。
【００３８】
続いて、各装置のソフトウェア構成例について説明する。図４は、本発明の実施の形態における保守管理サーバ及び保守員端末のソフトウェア構成例を示す図である。同図に示される各ブロックは、当該ブロックが属する装置のＣＰＵに処理を実行させることによりその機能を実現する。
【００３９】
同図において、保守管理サーバ５０は、保守管理部５１及び保守作業情報記憶部５２等を有する。保守管理部５１は、各保守員の保守作業の支援等を行う。保守作業情報記憶部５２は、保守管理サーバ５０の記憶装置を用いて、保守対象とされている全ての顧客の全ての画像形成装置１０に関する保守作業情報の履歴を記憶する。
【００４０】
保守員端末２０は、保守作業支援ウィジェット２１ａ、ウィジェットマネージャ２２、及び機器操作ライブラリ２５等を有する。
【００４１】
保守作業支援ウィジェット２１ａは、本実施の形態において、「ウィジェット」として総称されるアプリケーションプログラムの一つの具体例である。すなわち、同図には、ウィジェットとして、保守作業支援ウィジェット２１ａのみが示されているが、他の機能を有する各種にウィジェットも存在しうる。近年では、ウィジェット（Ｗｉｄｇｅｔ）又はガジェット（Ｇａｄｇｅｔ）とよばれる手軽なアプリケーションが流通している。本実施の形態では、手軽にインストールして利用可能なアプリケーションという程度の意味においてこれらのアプリケーションをウィジェットと呼ぶ（すなわち、技術的な意義において限定する趣旨ではない）。但し、本実施の形態において、各ウィジェットは、画像形成装置１０の機能を利用して所定の処理フロー（例えば、ワークフロー等の一連の処理フロー）を実現するという点において共通する。
【００４２】
保守作業支援ウィジェット２１ａは、保守作業の支援を行うウィジェットである。例えば、保守作業支援ウィジェット２１ａは、保守管理サーバ５０から保守員端末２０への保守作業情報の履歴のダウンロード、画像形成装置１０から保守員端末２０への画像制御電圧情報の履歴及び不良画像データのダウンロード、保守作業情報の履歴と画像制御電圧情報の履歴との同期及び合成、並びに合成結果の表示制御等を行う。保守作業支援ウィジェット２１ａは、また、画像形成装置１０から保守員端末２０にダウンロードされた、画像制御電圧情報の履歴及び不良画像データを保守管理サーバ５０へアップロードする。
【００４３】
ウィジェットマネージャ２２は、ウィジェットと画像形成装置１０との間の通信の仲介等を行う。各ウィジェットは、ウィジェットマネージャ２２によって規定されるインタフェース及び処理手順を備える必要がある。換言すれば、ウィジェットマネージャ２２と協調して動作するアプリケーションが、本実施の形態におけるウィジェットである。
【００４４】
機器操作ライブラリ２５は、画像形成装置１０を遠隔的に操作するための各種ＡＰＩ（Application Program Interface）を備えたライブラリ（例えば、ＤＬＬ（Dynamic Link Library））である。機器操作ライブラリ２５は、例えば、画像形成装置１０に関する各種の情報を取得するためのＡＰＩや、画像形成装置１０の設定情報の値を設定するためのＡＰＩ等を含む。保守作業支援ウィジェット２１ａは、機器操作ライブラリ２５のＡＰＩを利用して、画像形成装置１０より画像制御電圧情報の履歴を取得する。なお、機器操作ライブラリ２５は、汎用的に作成されており、非図示の他の一般的な機器管理用アプリケーションからも共用されうる。
【００４５】
図５は、ウィジェット及びウィジェットマネージャの機能構成例及び画像形成装置のソフトウェア構成例を示す図である。
【００４６】
同図に示されるように、本実施の形態における保守作業支援ウィジェット２１ａは、ウィジェットＵＩ部２１１、ウィジェット情報送信部２１２、連携部２１３、スキャン画像処理部２１４、画像制御電圧履歴取得部２１５、保守支援情報表示部２１６、保守履歴ダウンロード部２１７、障害関連情報アップロード部２１８、履歴記録方法設定部２１９、属性情報管理ファイル２３１、保守履歴記憶部２３２、及び障害関連情報記憶部２３３等を有する。
【００４７】
ウィジェットＵＩ部２１１は、保守作業支援ウィジェット２１ａに関する各種の表示制御及び入力制御等を行う。ウィジェット情報送信部２１２は、保守作業支援ウィジェット２１ａが起動されたとき等に、ウィジェット情報（ウィジェット２１の属性情報）の登録要求をウィジェットマネージャ２２に送信する。連携部２１３は、ウィジェットマネージャ２２を介した画像形成装置１０との連携のための通信（情報のやりとり等）を制御する。例えば、連携部２１３によって、画像形成装置１０においてスキャンされた画像データ（以下、「スキャン画像データ」という。）がウィジェットマネージャ２２を介して受信される。スキャン画像データには、不良画像原稿がスキャンされることにより生成される不良画像データも含まれうる。
【００４８】
スキャン画像処理部２１４は、連携部２１３によって受信されるスキャン画像データに基づいて処理制御を行う。例えば、スキャン画像データ処理部２１４は、スキャン画像データの一部として受信される不良画像データを、障害関連情報記憶部２３３に記録する。
【００４９】
画像制御電圧履歴取得部２１５は、機器操作ライブラリ２５を利用して、画像形成装置１０より画像制御電圧情報の履歴を取得する。保守支援情報表示部２１６は、画像制御電圧履歴取得部２１５によって取得された画像制御電圧情報の履歴と、保守履歴記憶部２３２に記録されている保守作業情報の履歴とを合成し、合成結果を表示させる。保守履歴ダウンロード部２１７は、保守管理サーバ５０より保守作業情報の履歴をダウンロードする。障害関連情報アップロード部２１８は、障害関連情報記憶部２３３に記録されている画像制御電圧情報の履歴及び不良画像データ等を保守管理サーバ５０にアップロードする。履歴記録方法設定部２１９は、画像制御電圧情報の履歴の記録方法を遠隔的に画像形成装置１０に対して設定する。
【００５０】
属性情報管理ファイル２３１は、保守作業支援ウィジェット２１ａ対する属性情報を格納するファイルである。保守履歴記憶部２３２は、保守履歴ダウンロード部２１７によってダウンロードされた保守作業情報の履歴を補助記憶装置２０２を用いて記憶する。障害関連情報記憶部２３３は、画像制御電圧履歴取得部２１５によって取得される画像制御電圧情報や、連携部２１３によって受信される不良画像データ等を補助記憶装置２０２を用いて記憶する。
【００５１】
ウィジェットマネージャ２２は、ウィジェット情報登録部２２１、広告部２２２、ウィジェット情報提供部２２３、仲介部２２４、及びウィジェット情報管理テーブル２２５等を有する。
【００５２】
ウィジェット情報登録部２２１は、ウィジェットより送信されるウィジェット情報の登録要求を受信し、当該ウィジェット情報をウィジェット情報管理テーブル２２５に保存する。ウィジェット情報管理テーブル２２５には、保守員端末２０において起動されている各ウィジェットのウィジェット情報が登録されるテーブルであり、保守員端末２０の補助記憶装置２０２に記録される。
【００５３】
広告部２２２は、ウィジェットマネージャ２２の起動に応じ、保守員端末２０のログインユーザのユーザＩＤ等をネットワーク上に広告（ブロードキャスト又はマルチキャスト等）する。広告は、ウィジェットを利用するユーザがネットワーク上において新たに発生したことを当該ネットワークに属する各画像形成装置１０に通知するための情報である。なお、本実施の形態において、ウィジェットを利用するユーザは、保守員である。したがって、ここでいう、ユーザＩＤは、保守員の識別子である。
【００５４】
ウィジェット情報提供部２２３は、画像形成装置１０からの要求に応じ、ウィジェット情報管理テーブル２２５に登録されているウィジェット情報を画像形成装置１０に提供（送信）する。仲介部２２４は、ウィジェットと画像形成装置１０との通信を仲介又は中継する。
【００５５】
画像形成装置１０は、ユーザ検知部１２１、ＵＩ制御部１２２、ウィジェット情報取得部１２３、ウィジェット連携部１２４、ジョブ実行制御部１２５、ユーザ管理テーブル１２６、画像制御電圧履歴記録部１２７、画像制御電圧履歴記憶部１２８、及び機器操作要求応答部１２９等を有する。これら各部は、画像形成装置１０にインストールされたプログラムが、画像形成装置１０のＣＰＵ１１１に実行させる処理により実現される。
【００５６】
ユーザ検知部１２１は、ウィジェットマネージャ２２より発行される広告に基づいて、ウィジェット２１を利用可能なユーザ（保守員）の存在を検知し、広告に含まれているユーザＩＤ等をユーザ管理テーブル１２６に登録する。ユーザ管理テーブル１２６は、ネットワーク４０上においてウィジェット２１を起動させているユーザの一覧を管理するテーブルである。ＵＩ制御部１２２は、保守員よりウィジェット２１の操作指示等の入力を受け付ける。すなわち、ウィジェットは、保守員端末２０に配置されているが、画像形成装置１０の操作パネルからも操作されうる。ウィジェット情報取得部１２３は、画像形成装置１０を操作する保守員に係るウィジェット情報（すなわち、画像形成装置１０の操作者と同一のユーザＩＤに係るユーザによって起動されたウィジェット２１のウィジェット情報）をウィジェットマネージャ２２より取得する。ウィジェット連携部１２４は、ウィジェット２１との通信を制御する。ジョブ実行制御部１２５は、ウィジェット２１から要求された機能に係るジョブの実行を制御する。例えば、ジョブ実行制御部１２５の制御によりスキャン等が実行される。
【００５７】
画像制御電圧履歴記録部１２７は、予め設定された周期で、画像形成装置１０内の各種部品の画像制御電圧を取得し、各画像制御電圧に係る画像制御電圧情報を画像制御電圧履歴記憶部１２８に記録する。画像制御電圧履歴記憶部１２８は、ＨＤＤ１１４を用いて、予め設定された周期数分の画像制御電圧情報の履歴を記憶する。機器操作要求応答部１２９は、機器操作ライブラリ２５に対するサーバ機能である。すなわち、機器操作要求応答部１９２は、機器操作ライブラリ２５より送信される要求に応じた処理を実行する。例えば、機器操作要求応答部１２９は、機器操作ライブラリ２５からの画像制御電圧情報の履歴の取得要求に応じ、画像制御電圧履歴記憶部１２８に記録されている画像制御電圧情報の履歴を返信する。
【００５８】
以下、処理手順について説明する。図６は、保守管理サーバからの保守作業情報の履歴のダウンロード処理の処理手順を説明するためのシーケンス図である。なお、同図の前提として、保守員端末２０は、保守管理環境５において、ネットワーク６０を介して保守管理サーバ５０と通信可能な状態であるとする。また、同図の処理は、保守員によって定期的に行われる。または、例えば、コールセンタより、顧客環境１における画像不良障害等の発生の通知を受けた際に実行されてもよい。
【００５９】
ステップＳ１１において、保守作業支援ウィジェット２１ａが起動されると、保守作業支援ウィジェット２１ａのウィジェットＵＩ部２１１は、保守作業支援ウィジェット２１ａのアイコンを表示装置２０６に表示させる。続いて、ウィジェットＵＩ部２１１は、保守員より、顧客ＩＤの入力を受け付ける（Ｓ１２）。顧客ＩＤの入力の受け付けの具体例としては次のようなものが挙げられる。ウィジェットＵＩ部２１１は、保守作業支援ウィジェットのアイコンに対する右クリックを検知すると、コンテキストメニューを表示させる。当該コンテキストメニューに含まれているメニュー項目群の中から保守作業情報の履歴のダウンロード指示に対応するメニュー項目が選択されると、ウィジェットＵＩ部２１１は、顧客ＩＤの入力を受け付けるための画面（ダイアログ）を表示装置２０６に表示させる。保守員は、当該画面を介して、自らが担当している一以上の顧客の顧客ＩＤを入力する。なお、ステップＳ１２が、定期的な作業としてではなく、障害発生の通知を受けた際に行われる場合、当該通知に係る顧客の顧客ＩＤが入力されればよい。本実施の形態では、説明の便宜上一つの顧客ＩＤが入力されることとする。
【００６０】
顧客ＩＤの入力に応じ、保守作業支援ウィジェット２１ａの保守履歴ダウンロード部２１７は、予め設定されている保守管理サーバ５０の識別情報（ＩＰアドレス又はＵＲＬ（Uniform Resource Locator）等）宛に、保守作業情報の履歴のダウンロード要求を送信する（Ｓ１３）。当該ダウンロード要求は、保守員によって入力された顧客ＩＤを含む。保守管理サーバ５０の保守管理部５１は、当該ダウンロード要求に含まれている顧客ＩＤに関連付けられている各画像形成装置１０の保守作業情報の履歴を保守作業情報記憶部５２より取得する（Ｓ１４）。すなわち、保守作業情報記憶部５２には、顧客ＩＤごと、かつ、当該顧客が所有する保守対象の全ての画像形成装置１０の識別子（機番）ごとに、保守作業情報の履歴が記録されている。したがって、保守対象の画像形成装置１０を複数台所有する顧客に関しては、複数の機番のそれぞれに係る保守作業情報の履歴が取得される。なお、機番とは、画像形成装置１０の筐体ごとに一意な識別子である。
【００６１】
図７は、保守作業情報の履歴の一例を示す図である。同図に示されるように、保守作業情報の各履歴は、顧客ＩＤ、機種番号、機番、保守年月日、訪問区分、トータルカウンタ情報、交換部品、ＲＯＭ情報、及び作業内容等の情報を含む。
【００６２】
顧客ＩＤ及び機番については上述した通りである。機種番号は、保守作業の対象となった画像形成装置１０の機種の識別番号である。保守年月日は、保守作業が行われた時期（年月日）である。したがって、保守年月日は、保守作業情報における時間情報に相当する。訪問区分は、保守員が顧客環境１を訪問した理由の区分である。訪問区分には、例えば、予防保全、緊急障害、定期保全等が有る。トータルカウンタ情報は、保守作業の対象とされた画像形成装置１０のトータルカウンタ（総印刷枚数）である。交換部品は、保守作業時に交換された部品である。ＲＯＭ情報は、保守作業において、ＲＯＭ１１３の内容が交換（更新）された場合における、交換後のＲＯＭ１１３の内容（ファームウェア等）に関する情報である。作業内容は、保守作業の内容である。
【００６３】
Ｓ１４では、同図に示されるような履歴の中から、指定された顧客ＩＤに係る履歴が取得（抽出）される。
【００６４】
続いて、保守管理部５１は、取得された保守作業情報の履歴を返信する（Ｓ１５）。保守履歴ダウンロード部２１７は、保守作業情報の履歴を受信すると、受信された履歴を保守履歴記憶部２３２に記録する（Ｓ１６）。
【００６５】
以上で、保守作業情報の履歴のダウンロードは完了する。その後、保守員は、画像不良障害の発生の通知に応じ、当該画像不良障害の発生した画像形成装置１０が設置されている顧客環境１を訪問する。訪問に際し、保守員は、保守作業情報の履歴がダウンロードされている保守員端末２０を携帯する。
【００６６】
当該顧客環境１において、保守員によって、障害の原因を推定又は特定するために様々な作業が行われる。ここでは、保身端末２０を用いて行われる作業に限定して説明する。保守端末２０を用いて行われる作業とは、画像制御電圧情報の履歴のダウンロード、画像制御電圧情報の履歴と保守作業情報の履歴との合成表示、及び不良画像データの取得等である。
【００６７】
まず、顧客環境１における作業の開始にあたり、保守員は、自らが持参した保守員端末２０を、ネットワーク４０を介して各画像形成装置１０と通信可能な状態とする。続いて、保守員は、保守員端末２０において、ウィジェットマネージャ２２及び保守作業支援ウィジェット２１ａを起動させる。
【００６８】
図８は、ウィジェットマネージャ及び保守作業支援ウィジェットの起動時の処理手順を説明するためのシーケンス図である。
【００６９】
保守員によってウィジェットマネージャ２２の起動指示が入力されると、ウィジェットマネージャ２２の広告部２２２は、ログインユーザ（保守員）のユーザＩＤとウィジェット情報取得用ＵＲＬとを含むユーザ情報の広告をネットワーク４０上に送信する（Ｓ１０１）。
【００７０】
続いて、各画像形成装置１０のユーザ検知部１２１は、広告を受信すると、当該広告に含まれているユーザＩＤ及びウィジェット情報取得用ＵＲＬをユーザ管理テーブル１２６に登録する（Ｓ１０２）。
【００７１】
図９は、ユーザ管理テーブルの構成例を示す図である。同図に示されるように、ユーザ管理テーブル１２６は、ユーザＩＤとウィジェット情報取得用ＵＲＬとの組（ペア）を管理する。ウィジェット情報取得用ＵＲＬは、ウィジェットマネージャ２２ごとに一意なＵＲＬである。ウィジェットマネージャ２２は、一台の保守員端末２０において一つ起動されればよい。すなわち、ウィジェットマネージャ２２は、同一の保守員端末２０において起動される複数のウィジェット２１から共用される。同図では、ユーザＡ及びユーザＢについてレコードが登録されている例が示されている。ユーザ管理テーブル１２６は、例えば、ＨＤＤ１１４に記憶されている。
【００７２】
続いて、保守員は、保守員端末２０において、保守作業支援ウィジェット２１ａを起動させる。保守員端末２０において保守員によって入力される保守作業支援ウィジェット２１ａの起動指示に応じ、ウィジェット情報送信部２１２は属性情報管理ファイル２３１を参照してウィジェット情報を生成し、当該ウィジェット情報の登録要求をウィジェットマネージャ２２に送信する（Ｓ１０３）。
【００７３】
図１０は、保守作業支援ウィジェットのウィジェット情報の例を示す図である。同図において、保守作業支援ウィジェット２１ａのウィジェット情報は、ウィジェットＩＤ、ユーザＩＤ、連携機能識別子、ウィジェットアドレス、及び表示名等を含む。
【００７４】
ウィジェットＩＤは、各ウィジェットを一意に識別する識別情報である。ユーザＩＤは、保守作業支援ウィジェット２１ａの所有者である保守員の識別情報である。連携機能識別子は、保守作業支援ウィジェット２１ａと連携する画像形成装置１０が有している必要のある機能（換言すれば、ウィジェットが利用する機能）を識別するための情報である。連携機能識別子の一例として「ｐｒｉｎｔ」、「ｓｃａｎ」等が挙げられる。「ｐｒｉｎｔ」は、印刷機能を示す。「ｓｃａｎ」は、スキャン機能を示す。後述されるように、保守作業支援ウィジェット２１ａは、画像形成装置１０のスキャン機能を利用する。したがって、図１０の例では、「ｓｃａｎ」が連携機能識別子とされている。ウィジェットアドレスは、ネットワーク通信において各ウィジェットを一意に識別するための識別情報（例えば、ＵＲＬ等）である。表示名は、保守作業支援ウィジェット２１ａの表示用の文字列である。なお、ウィジェットＩＤ、ユーザＩＤ、連携機能識別子、ウィジェットアドレス、及び表示名は、例えば、属性情報管理ファイル２３１より取得される。
【００７５】
ステップＳ１０３においてウィジェット情報送信部２１２より送信されたウィジェット情報は、ウィジェットマネージャ２２のウィジェット情報登録部２２１によって受信される。ウィジェット情報登録部２２１は、受信されたウィジェット情報をウィジェット情報管理テーブル２２５に登録する（Ｓ１０４）。
【００７６】
保守作業支援ウィジェット２１ａは、ウィジェット情報の送信後、画像形成装置１０において画像データがスキャンされたことを確認するためのポーリングを行い、スキャン画像データの転送（返信）を待機する。具体的には、保守作業支援ウィジェット２１ａの連携部２１３は、スキャン画像データの取得要求をウィジェットマネージャ２２の仲介部２２４に送信する（Ｓ１０５）。仲介部２２４は、当該取得要求に対する応答を行う（Ｓ１０６）。この段階では、画像データはスキャンされていないため、スキャン画像データは無いことを示す応答が返信される。その後もスキャン画像データの取得要求（Ｓ１０５）は一定間隔ごとに繰り返し行われる。スキャン画像データの取得要求には、ウィジェットＩＤが含められてもよい。
【００７７】
保守作業支援ウィジェット２１ａの起動後、保守員は、保守作業支援ウィジェット２１ａを実行するために画像形成装置１０の設置場所へ移動する。複数の画像形成装置１０がネットワーク４０に接続されている場合、同一の広告が各画像形成装置１０のユーザ検知部１２１によって受信され、それぞれの画像形成装置１０のユーザ管理テーブル１２６にユーザＩＤ及びウィジェット情報取得用ＵＲＬが登録されている。したがって、保守員は、複数の画像形成装置１０のいずれを操作対象としても保守作業支援ウィジェット２１ａに係るジョブを実行させることができる。ここでは、画像不良障害の発生している画像形成装置１０が操作対象とされる。
【００７８】
操作対象とされた画像形成装置１０における保守員による操作に応じて実行される処理について説明する。図１１は、実行可能なウィジェットの一覧の表示処理の処理手順を説明するためのシーケンス図である。
【００７９】
保守員によって操作パネル１５を介してウィジェット２１の利用指示が入力されると（Ｓ２０１）、画像形成装置１０のＵＩ制御部１２２は、ユーザ管理テーブル１２６に登録されている情報に基づいてユーザ選択画面を操作パネル１５に表示させる（Ｓ２０２）。
【００８０】
図１２は、ユーザ選択画面の表示例を示す図である。同図に示されるユーザ選択画面６１０には、ネットワーク４０上において、ウィジェットマネージャ２２を起動させている保守員に対応するボタンが表示されている。同図では、「ユーザＡ」をユーザＩＤとする保守員に対応するボタン６１１が表示されている。
【００８１】
続いて、保守員は、ユーザ選択画面６１０において自らのユーザＩＤに対応するボタンを押下する（Ｓ２０３）。ボタンの押下に応じ、ウィジェット情報取得部１２３は、選択されたボタンに対応するユーザＩＤに関連付けられているウィジェット情報取得用ＵＲＬをユーザ管理テーブル１２６より取得する。なお、ユーザＩＤに対応するボタンの押下に応じ、保守員の認証を行い、保守員が認証された場合にのみ、以降の処理が実行されるようにしてもよい。
【００８２】
続いて、ウィジェット情報取得部１２３は、ウィジェット情報取得用ＵＲＬ宛に、ウィジェット情報の取得要求を送信する（Ｓ２０４）。ウィジェット情報の取得要求は、当該ウィジェット情報取得用ＵＲＬに対応するウィジェットマネージャ２２のウィジェット情報提供部２２３によって受信される。ウィジェット情報提供部２２３は、ウィジェット情報管理テーブル２２５に登録されている全てのウィジェット情報を取得し、取得されたウィジェット情報の一覧を画像形成装置１０に送信する（Ｓ２０５）。ウィジェット情報の一覧の送信に際し、ウィジェット情報提供部２２３は、画像形成装置１０と各ウィジェット２１との通信を中継するためのＵＲＬ（以下、「ウィジェット中継用ＵＲＬ」という。）をウィジェットごと（ウィジェット情報ごと）に一意に生成する。ウィジェット情報提供部２２３は、ウィジェットごとに生成されたウィジェット中継用ＵＲＬを、各ウィジェット情報に付加し、ウィジェット中継用ＵＲＬが付加されたウィジェット情報の一覧を画像形成装置１０に送信する。したがって、ステップＳ２０５において送信されるウィジェット情報は、例えば、図１３に示されるような構成を有する。
【００８３】
図１３は、ウィジェットマネージャから画像形成装置に送信される保守作業支援ウィジェットのウィジェット情報の構成例を示す図である。
【００８４】
図１３に示されるウィジェット情報は、図１０のウィジェット情報に対してウィジェット中継用ＵＲＬが付加されたものである。ステップＳ２０５では、同図に示されるようなウィジェット情報の一覧が送信される。ここでは、ウィジェット情報が一つしか含まれないものもウィジェット情報の一覧という。
【００８５】
続いて、画像形成装置１０のＵＩ制御部１２２は、受信されたウィジェット情報の一覧をＲＡＭ１１２に記録しておき、当該ウィジェット情報の一覧に基づいて、実行可能なウィジェットの一覧を含む画面（ウィジェット選択画面）を表示させる（Ｓ２０６）。
【００８６】
図１４は、ウィジェット選択画面の表示例を示す図である。ウィジェット選択画面６２０には、ウィジェット２１ごとにボタン（表示部品）が表示される。同図では、保守作業支援ウィジェット２１ａのボタン６２１が表示された例が示されている。すなわち、同図は、保守作業支援ウィジェット２１ａのウィジェット情報のみがステップＳ２０５において受信された場合のウィジェット選択画面６２０の表示例である。なお、保守員端末２０において、他のウィジェットが起動されている場合、当該他のウィジェットのウィジェット情報に基づいて、当該他のウィジェットに対応するボタンも表示される。
【００８７】
続いて、保守員又は顧客は、保守作業支援ウィジェットに処理させるための原稿を画像形成装置１０のスキャナ１２にセットする。セットされる原稿は、画像形成装置１０に蓄積されている、画像制御電圧情報の履歴のうち、取得対象とする履歴を限定するための情報が指定されたマークシート（以下、「画像制御電圧マークシートｍ１」という。）である。
【００８８】
図１５は、画像制御電圧マークシートの一例を示す図である。同図において、画像制御電圧マークシートｍ１は、情報取得サイクル選択領域ｍ１１、情報蓄積回数選択領域ｍ１２、及び画像制御電圧種別選択領域ｍ１３等を含む。
【００８９】
情報取得サイクル選択領域ｍ１１は、画像形成装置１０に蓄積されている画像制御電圧情報の履歴のうち、ダウンロード対象とする履歴の周期（間隔）を選択（マーク）させるための領域である。同図では、「１０００枚」が選択されている例が示されている。この場合、１０００枚ごとの履歴がダウンロード対象とされる。なお、本実施の形態では、画像形成装置１０における、画像制御電圧情報の記録周期は、印刷枚数によって設定されることとする。したがって、予め、記録周期が１０００枚ごとに設定されている場合において、１０００枚ごとの履歴がダウンロード対象とされた場合、全ての履歴がダウンロード対象となりうる。
【００９０】
情報蓄積回数選択領域ｍ１２は、ダウンロード対象とする履歴の上限数を選択（マーク）させるための領域である。同図では「２０回以内」が選択されている例が示されている。したがって、２０回分の履歴がダウンロード対象とされる。
【００９１】
画像制御電圧種別選択領域ｍ１３は、各種の部品ごとに記録されている画像制御電圧情報のうち、ダウンロード対象とする画像制御電圧情報を選択（マーク）させるための領域である。すなわち、「Ｖｓｐ、Ｖｓｇ、Ｖｄ、・・・」等は、それぞれ、画像制御電圧情報の種別を示す。同図では、Ｖｓｐ及びＶｄが選択された例が示されている。Ｖｓｐは、トナー濃度センサの電圧を示す。Ｖｄは、ドラムの表面上のベース電圧を示す。
【００９２】
情報取取得サイクル選択領域ｍ１１、情報蓄積回数選択領域ｍ１２、及び画像制御電圧種別選択領域ｍ１３における選択結果は、論理積の関係にある。したがって、同図の場合、１０００枚ごとにＶｓｐ及びＶｄに関する２０回分以内の履歴を取得対象とすることが設定されたことになる。すなわち、取得対象が当該履歴に限定されたことになる。
【００９３】
なお、画像制御電圧マークシートｍ１を画像形成装置１０に印刷させるようにしてもよい。すなわち、画像形成装置１０は、操作パネル１５を介した操作モードとして、保守員モードを有する。保守員モードでは、画像形成装置１０の状態や設定値の一覧等を印刷させるためのメニューが提供される。例えば、当該メニューの中に、画像制御電圧マークシートｍ１の印刷ボタンが含まれている。保守員によって、当該印刷ボタンが押下されると、画像形成装置１０は、未記入状態の画像制御電圧マークシートｍ１を出力（印刷）する。
【００９４】
画像制御電圧マークシートｍ１に対する記入は、例えば、保守員によって行われる。もちろん、顧客によって記入が行われてもよい。但し、顧客では、今回の障害の調査のために、どの画像制御電圧情報を取得するのが有効であるかについて判断するのは困難であると考えられる。保守員によって記入が行われた場合、保守員は、記入後の画像制御電圧マークシートｍ１を顧客に提示して、記入内容に係る情報のダウンロードについて、顧客の了承（許可）を得る。すなわち、顧客環境１は、画像形成装置１０における情報が自動的に保守管理サーバ５０に転送されるのを拒否している顧客の環境である。したがって、予め、顧客の了承を得ておくのが得策である。
【００９５】
一方、保守員が、不良画像原稿を持ち帰ることを希望し、そのことが顧客によって許可された場合、不良画像原稿も画像制御電圧マークシートｍ１と共にスキャナ１２にセットされる。すなわち、画像制御電圧マークシートｍ１と不良画像原稿とが重ねられた状態で、これらの原稿がスキャナ１２のＡＤＦ（Auto Document Feeder）にセットされる。
【００９６】
なお、画像制御電圧マークシートｍ１及び不良画像原稿は、それぞれ複数枚によって構成されてもよい。
【００９７】
原稿のセットが完了すると、図１６に示される処理が開始される。図１６は、保守作業支援ウィジェットの実行時の処理手順を説明するためのシーケンス図である。
【００９８】
画像形成装置１０に上記原稿がセットされた状態で、保守員又は顧客は、ウィジェット選択画面６２０に表示されている、保守作業支援ウィジェット２１ａに対応するボタン６２１を選択する（Ｓ２０１）。保守員によってボタン６２１が選択される場合、顧客が同伴していることが望ましい。本実施の形態では、ボタン６２１の選択という行為を、画像形成装置１０からの情報のダウンロードに関する顧客による承諾（許可）の意思表示としてみなすからである。すなわち、顧客の認識の下でボタン６２１が選択され場合、画像形成装置１０からの情報のダウンロードに関して、顧客による承諾（許可）が得られたものと解するのは、十分妥当性が認められる解釈であると考えるからである。
【００９９】
続いて、画像形成装置１０のウィジェット連携部１２４は、押下されたボタン６２１に対応する、保守作業支援ウィジェット２１ａのウィジェット情報（以下、「カレントウィジェット情報」という。）に含まれている連携機能識別子（「ｓｃａｎ」）に基づいて、スキャン（画像データの読み取り）を実行すべきことを認識する。そこで、ウィジェット連携部１２４は、スキャンジョブの実行をジョブ制御部１２５に要求する。
【０１００】
ジョブ制御部１２５は、原稿からの画像データの読み取りを制御する（Ｓ２０２）。より詳しくは、ジョブ制御部１２５は、画像形成装置１０にセットされた原稿に対するスキャンをスキャナ１２に実行させ、その結果得られるスキャン画像データをウィジェット連携部１２４に出力する。スキャン画像データは、例えば、ＪＰＥＧ（Joint Photographic Experts Group）、ＴＩＦＦ（Tagged Image File Format）、又はＰＤＦ（Portable Document Format）等の形式で生成される。
【０１０１】
続いて、ウィジェット連携部１２４は、スキャン画像データをカレントウィジェット情報に含まれているウィジェット中継用ＵＲＬ宛に送信する（Ｓ２０３）。ウィジェット中継用ＵＲＬ宛に送信されたスキャン画像データは、ウィジェットマネージャ２２の仲介部２２４によって受信される。続いて、仲介部２２４は、定期的に行われている、当該ウィジェット中継用ＵＲＬに対応する保守作業支援ウィジェット２１ａからのスキャン画像データの取得要求を受信すると（Ｓ１０５）、画像形成装置１０より受信したスキャン画像データを含む応答を返信する（Ｓ２１１）。
【０１０２】
保守作業支援ウィジェット２１ａの連携部２１３は、スキャン画像データを受信すると、当該スキャン画像データをスキャン画像処理部２１４に入力する。スキャン画像処理部２１４は、スキャン画像データに不良画像データが含まれている場合は、当該不良画像データを障害関連情報記憶部２３３に保存（記録）する（Ｓ２１２）。スキャン画像データ内における、画像制御電圧マークシートｍ１より読み取られた画像データ（以下、「マークシートデータ」という。）と、不良画像データとの区別は、所定の規則に基づいて行われてもよいし、公知の画像処理を用いて行われてもよい。所定の規則とは、例えば最初又は最後のＮペーは、マークシートデータであり、残りは不良画像データであるという規則である。当該規則（例えば、Ｎの値）は、例えば、保守作業支援ウィジェット２１ａの属性情報管理ファイル２３１内に設定されていればよい。または、ウィジェット選択画面６２０においてボタン６２１が選択された際に、画像形成装置１０のＵＩ制御部１２２が、保守作業支援ウィジェット２１ａ用の設定画面を表示させ、当該設定画面において当該規則（例えば、Ｎの値）が設定されてもよい。この場合、Ｎの値もスキャン画像データと共に転送対象とされる。
【０１０３】
公知の画像処理を用いる場合は、例えば、画像制御電圧マークシートｍ１に、当該マークシートを識別するための記号、図形、又はバーコード等が記録しておけばよい。この場合、スキャン画像処理部２１４は、当該記号、図形、又はバーコード等が抽出される画像データをマークシート画像データであると認識し、それ以外を不良画像データであると認識する。
【０１０４】
続いて、スキャン画像処理部２１４は、スキャン画像データに含まれているマークシートデータに対してＯＭＲ（Optical Mark Reader）処理を実行し、画像制御電圧マークシートｍ１に対する記入内容を抽出する（Ｓ２１３）。したがって、情報取得サイクル（取得（ダウンロード）対象とする履歴の周期）、情報蓄積回数（取得対象とする履歴数）、及び取得対象とする画像制御電圧情報の種別が抽出される。
【０１０５】
続いて、画像制御電圧情報取得部２１５は、機器操作ライブラリ２５を用いて、画像制御電圧情報の履歴の取得（ダウンロード）要求を画像形成装置１０に送信する（Ｓ２１４）。当該取得要求には、取得対象とする履歴の周期、取得対象とする履歴数、及び取得対象とする画像制御電圧情報の種別等がパラメータとして指定される。すなわち、画像制御電圧情報取得部２１５は、マークシートデータｍ１より抽出された情報に基づいて、取得対象とする画像制電圧情報の履歴を限定する。
【０１０６】
当該取得要求を受信した機器操作要求応答部１２９は、当該取得要求において指定されたパラメータによって限定される範囲に属する画像制御電圧情報の履歴を画像制御電圧履歴記憶部１２８より取得する。機器操作要求応答部１２９は、取得された画像制御電圧情報の履歴を返信する（Ｓ２１５）。なお、画像制御電圧情報の履歴と共に、当該画像形成装置１０の機番も返信される。
【０１０７】
保守作業支援ウィジェット２１ａの画像制御電圧情報取得部２１５は、画像制御電圧情報の履歴を受信すると、当該履歴を障害関連記憶部２３３に記録する。この際、当該履歴は、当該履歴と共に受信された機番に関連付けられて記録される。また、不良画像データが既に記録されている場合は、当該不良画像データも、当該機番に関連付けられる。
【０１０８】
続いて、保守支援情報表示部２１６は、ステップＳ２１５において受信された機番に係る保守作業情報の履歴を保守履歴記憶部２３２により取得し、当該履歴と、ステップＳ２１５において受信された画像制御電圧情報の履歴とを、双方の履歴に係る情報に含まれている時間情報に基づいて同期させて合成する。この際、合成対象とされる期間は、双方の履歴の期間が重複する期間に限定される。すなわち、当該重複する期間に係る履歴について合成が行われる。
【０１０９】
続いて、保守作業支援情報表示部２１６は、同期結果を表現する図形（例えば、グラフ）を含む表示データを生成し、当該表示データを表示装置２０６に表示させる（Ｓ２１８）。
【０１１０】
図１７は、保守作業情報の履歴と画像制御電圧情報の履歴との合成結果の表示例を示す図である。同図には、横軸は印刷枚数及び時間（月日）、縦軸は画像制御電圧値である。曲線Ｌ１及び曲線Ｌ２は、Ｖｓｐ、Ｖｄの履歴に基づいて生成されたグラフである。一方、履歴ｒ１、ｒ２、及びｒ３は、保守作業情報の履歴である。
【０１１１】
画像制御電圧は、画像形成装置１０による画像形成を正常に保つために値が制御される。その際、各画像制御電圧の相互関係が維持されるように制御される。例えば、各画像制御電圧は、その推移について略平行性が維持されるように制御される。したがって、図１７の例の場合、１月１０日までは、画像形成は正常に行われていたものと推測することができる。そうすると、１月１０日における履歴ｒ２に係る保守作業が、画像不良の原因に関係している可能性が高いことを推測することができる。
【０１１２】
このように、画像制御電圧情報の推移を示す曲線と、保守作業情報の履歴とが時間軸上で同期されて表示されることにより、保守員は、保守作業による画像制御電圧への影響を容易に把握することができる。
【０１１３】
すなわち、従来（すなわち、図１７に示されるような表示が行われない状態において）、保守員は、各履歴の生データをそれぞれ比較する必要があった。しかし、画像制御電圧情報の履歴の量は膨大であり、そのうちの所望の画像制御電圧情報の履歴同士を頭の中で合成させるのすら非常に困難な作業である。具体的には、二つの画像制御電圧情報の履歴の略平行性が失われた時点の特定を行うのは非常に困難な作業である。更に、保守作業の情報を合成させるのも非常に困難な作業である。その結果、保守員による判断に誤りが生じる可能性が高くなり、適切な障害対応が遅延してしまう可能性が高くなる。
【０１１４】
一方、本実施の形態のように、保守作業情報の履歴と画像制御電圧情報の履歴とが自動的に合成され、表示されることで、保守員は、膨大な量の履歴の内容を参照せずとも、画像不良の原因に関して或る程度の推測を行うことが可能となる。
【０１１５】
上記の作業の完了後、保守員は、保守管理環境５に戻り、顧客環境１において収集された障害関連情報（画像制御電圧情報の履歴及び不良画像データ等）を保守管理サーバ５０にアップロード（登録）する。
【０１１６】
図１８は、保守管理サーバへの障害関連情報のアップロード処理の処理手順を説明するためのシーケンス図である。同図の前提として、保守員端末２０は、保守管理環境５において、ネットワーク６０を介して保守管理サーバ５０と通信可能な状態であるとする。
【０１１７】
ステップＳ４０１において、保守作業支援ウィジェット２１ａが起動されると、保守作業支援ウィジェット２１ａのウィジェットＵＩ部２１１は、保守作業支援ウィジェット２１ａのアイコンを表示装置２０６に表示させる。続いて、ウィジェットＵＩ部２１１は、保守員より、障害関連情報のアップロード指示の入力を受け付ける（Ｓ４０２）。アップロード指示の入力は、例えば、保守作業支援ウィジェット２１ａのアイコンに対する右クリックによって表示されるコンテキストメニューに含まれているメニュー項目を選択することにより行われる。
【０１１８】
続いて、障害関連情報アップロード部２１８は、障害関連情報記憶部２３３に記録されている画像制御電圧情報の履歴を障害関連情報として、機番に関連付けられた状態で保守管理サーバ５０に送信（アップロード）する（Ｓ４０３）。また、不良画像データが障害関連情報記憶部２３３に記録されている場合は、当該不良画像データも、障害関連情報の構成情報として保守管理サーバ５０に送信される。
【０１１９】
保守管理サーバ５０の保守管理部５１は、受信された障害関連情報を保守作業情報記憶部５２に記録する（Ｓ４０４）。具体的には、機番に関連付けられて障害関連情報が保守作業情報記憶部５２に記録される。
【０１２０】
その後、保守管理環境５では、保守管理サーバ５０にアップロードされた障害関連情報に基づいて、画像不良障害の原因の推定又は特定作業が行われる。
【０１２１】
続いて、画像形成装置１０に対する、画像制御電圧情報の履歴の記録方法の設定について説明する。画像制御電圧情報の履歴の記録方法は、例えば、画像形成装置１０の画像制御電圧記録部１２７が操作パネル１５に表示させる履歴記録方法設定画面を用いて行われる。
【０１２２】
図１９は、履歴記録方法設定画面の表示例を示す図である。同図において、履歴記録方法選択画面５１０は、情報取得サイクル設定領域５１１、情報蓄積回数設定領域５１２、及び画像制御電圧種別設定領域５１３等を含む。
【０１２３】
情報取得サイクル設定領域５１１は、画像制御電圧情報の履歴の記録周期（何枚おきに記録するか）を選択させるための領域である。同図では、「１０００枚」が設定されている例が示されている。情報蓄積回数設定領域５１２は、蓄積する履歴の上限数を設定させるための領域である。同図では「２０回以内」が設定されている例が示されている。画像制御電圧種別設定領域５１３は、履歴の記録対象とする画像制御電圧情報の種別を選択させるための領域である。同図では、Ｖｓｐ及びＶｄが選択された例が示されている。
【０１２４】
画像制御電圧履歴記録部１２７は、履歴記録方法設定画面５１０の設定内容を、例えば、ＨＤＤ１１４に記録（保存）し、当該設定内容に基づいて、画像制御電圧情報の履歴を記録する。例えば、図１９に示される設定内容の場合、画像制御電圧履歴記録部１２７は、１０００枚印刷が行われるごとに、そのときの画像制御電圧を計測し、計測値及び時間情報を画像制御電圧履歴記憶部１２８に記録する。この際、計測対象とされる画像制御電圧は、選択された種別に係るものに限定される。また、画像制御電圧履歴記憶部１２８に記録された履歴数は、設定さえた蓄積回数の上限値に達した場合、画像制御電圧履歴記録部１２７は、最も古い履歴を削除し、新たな履歴を追加する。
【０１２５】
また、図１５において説明した、画像制御電圧マークシートｍ１を用いて、画像制御電圧情報の履歴方法が設定されてもよい。すなわち、図１６では、画像制御電圧マークシートｍ１を、保守員端末２０へのダウンロード対象とする履歴を指定させるためのマークシートとして用いたが、本来、画像制御電圧マークシートｍ１は、履歴の記録方法を設定させるためのマークシートなのである。すなわち、図１６では、設定用のマークシートを、ダウンロード対象の選択用のマークシートとして流用したのでる。但し、画像制御電圧マークシートｍ１の本来の目的はいずれであってもよい。
【０１２６】
具体的な処理手順としては、画像制御電圧マークシートｍ１を画像形成装置１０にスキャンさせる。スキャン結果に対してＯＭＲ（Optical Mark Reader）処理を実行することにより、画像制御電圧マークシートｍ１に対する記入内容を抽出する。画像制御電圧履歴記録部１２７は、抽出結果に基づいて、画像制御電圧情報の履歴の記録方法をHDD１１４に記録する。
【０１２７】
上記処理は、画像形成装置１０内に閉じて行われてもよいし、保守作業支援ウィジェット２１ａを利用して実行されてもよい。保守作業支援ウィジェット２１ａを利用する場合、まず、図８に示される処理手順及び図１２に示される処理手順が実行される。この際、保守作業支援ウィジェット２１ａは、「設定モード」を動作モードとして起動される。すなわち、保守作業支援ウィジェット２１ａは、「ダウンロードモード」と「設定モード」という動作モードを有する。ダウンロードモード時において、保守作業支援ウィジェット２１ａは、図１６において説明した処理を実行する。設定モード時において、保守作業支援ウィジェット２１ａは、図２０においてこれから説明される処理を実行する。なお、動作モードの設定は、例えば、保守作業支援ウィジェット２１ａの属性情報設定ファイル２１３に対して、所望する動作モードを示す値を記録することにより行えばよい。又は、保守支援ウィジェット２１ａのコンテキストメニューにおいて、動作モードの設定変更を可能としてもよい。
【０１２８】
図２０は、画像制御電圧マークシートを用いた履歴の記録方法の設定処理の処理手順を説明するためのシーケンス図である。図２０中、図１６と同一ステップには同一符号を付与し、その説明は省略する。
【０１２９】
ステップＳ２０１〜Ｓ２１３の処理の流れは、図１６において説明したものと同様である。但し、図２０においてスキャナ１２にセットされるのは、履歴の記録方法が記入された画像制御電圧マークシートｍ１である。この際においても、画像制御電圧マークシートｍ１に対する記入は、顧客の許可の下、保守員によって行われるのが妥当であると考える。
【０１３０】
したがって、スキャン画像データとして保守作業支援ウィジェット２１ａに転送されるのは、履歴の記録方法が記入されたマークシートｍ１のスキャン画像データ（マークシートデータ）である。
【０１３１】
ステップＳ２１３において、スキャン画像処理部２１４は、スキャン画像データに含まれているマークシートデータに対してＯＭＲ（Optical Mark Reader）処理を実行し、画像制御電圧マークシートｍ１に対する記入内容を抽出する。したがって、情報取得サイクル（履歴の記録周期）、情報蓄積回数（蓄積する履歴の上限数）、及び履歴の記録対象とする画像制御電圧情報の種別が抽出される。
【０１３２】
続いて、履歴記録方法設定部２１９は、抽出された各パラメータを指定して、機器操作ライブラリ２５のＡＰＩを呼び出す。機器操作ライブラリ２５は、ＡＰＩの呼び出しに応じ、画像制御電圧情報の履歴の記録方法の設定要求を画像形成装置１０に送信する（Ｓ２２１）。画像形成装置１０の機器操作要求応答部１２９は、当該設定要求を受信すると、当該設定要求おいてパラメータとして指定されている、履歴の記録周期、蓄積する履歴の上限数、及び履歴の記録対象とする画像制御電圧情報の種別等をＨＤＤ１１４に保存（記録）する（Ｓ２２２）。
【０１３３】
なお、保守支援ウィジェット２１ａの設定モード時の処理手順を実行するための専用のウィジェットが、保守支援ウィジェット２１ａとは別に作成されてもよい。この場合、当該ウィジェットは、ウィジェットＵＩ部２１１、ウィジェット情報送信部２１２、連携部２１３、スキャン画像処理部２１４、履歴記録方法設定部２１９、及び属性情報管理ファイル２３１等を有していればよい。一方、保守作業支援ウィジェット２１ａは、履歴記録方法設定部２１９を有さなくてもよい。
【０１３４】
ところで、保守員による、定期的な又は緊急時における保守作業の内容についても、図２１に示されるようなマークシート（保守作業マークシート）を用いて、画像形成装置１０に通知されてもよい。ここでいう、緊急時における保守作業には、画像不良障害の発生時における保守作業も含まれる。
【０１３５】
図２１は、保守作業マークシートの一例を示す図である。同図において、保守作業マークシートｍ２は、交換部品選択領域ｍ２１等を含む。交換部品選択領域ｍ２１は、保守作業によって交換された部品を選択（マーク）させるための領域である。なお、同図では、交換部品選択領域ｍ２１において、部品ごとに現在値が記録された例が示されている。同図の保守作業マークシートｍ２は、画像形成装置１０に印刷された例を示すからである。すなわち、画像制御電圧マークシートｍ１と同様、保守作業マークシートｍ２についても、画像形成装置１０によって印刷されてもよい。この場合、画像形成装置１０は、各部品のトータルカウンタ値を取得し、当該トータルカウンタ値を「現在値」として、保守作業マークシートｍ２に印字する。トータルカウンタ値とは、当該部品が何枚分の印刷に使用されたかを示す値である。
【０１３６】
保守員は、保守作業マークシートｍ２において、保守作業によって交換された部品に対してマークを記入する。その後、保守作業マークシートｍ２を画像形成装置１０にスキャンさせる。画像形成装置１０は、スキャンされた画像データに対してＯＭＲ（Optical Mark Reader）処理を実行することにより、交換された部品を認識する。画像形成装置１０は、交換された部品のトータルカウンタ値を０に初期化する。
【０１３７】
なお、上記処理は、ウィジェットを用いて行われてもよい。この場合の処理手順の詳細は、設定モードにおける保守作業支援ウィジェット２１ａが実行するもの（図２０）より自明であるため、ここでの説明は省略する。
【０１３８】
上述したように、本実施の形態によれば、保守対象の画像形成装置１０が外部のネットワークから隠蔽された状態であっても、画像形成装置１０における異常発生時（特に、画像不良障害の発生時）における、保守作業を適切に支援することができる。
【０１３９】
なお、上記では、画像制御電圧マークシートｍ１や保守作業マークシートｍ２を、ＯＭＲ用の用紙として形成した例を説明した。但し、これらのシート（用紙）は、ＯＣＲ（Optical Character Recognition）用の用紙として形成されてもよい。すなわち、各選択項目を、文字列によって記入させるようにしてもよい。この場合、保守作業支援ウィジェット２１ａのスキャン画像処理部２１４は、マークシートデータに対してＯＣＲ処理を実行することにより、各シートに指定された情報を抽出（認識）するようにすればよい。
【０１４０】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【０１４１】
１０          画像形成装置
１１          コントローラ
１２          スキャナ
１３          プリンタ
１４          モデム
１５          操作パネル
１６          ネットワークインタフェース
１７          ＳＤカードスロット
２０          保守員端末
２１ａ        保守作業支援ウィジェット
２２          ウィジェットマネージャ
２５          機器操作ライブラリ
５０          保守管理サーバ
５１          保守管理部
５２          保守作業情報記憶部
８０          ＳＤカード
１１１        ＣＰＵ
１１２        ＲＡＭ
１１３        ＲＯＭ
１１４        ＨＤＤ
１２１        ユーザ検知部
１２２        ＵＩ制御部
１２３        ウィジェット情報取得部
１２４        ウィジェット連携部
１２５        ジョブ実行制御部
１２６        ユーザ管理テーブル
１２７        画像制御電圧履歴記録部
１２８        画像制御電圧履歴記憶部
１２９        機器操作要求応答部
２００        ドライブ装置
２０１        記録媒体
２０２        補助記憶装置
２０３        メモリ装置
２０４        ＣＰＵ
２０５        インタフェース装置
２０６        表示装置
２０７        入力装置
２１１        ウィジェットＵＩ部
２１２        ウィジェット情報送信部
２１３        連携部
２１４        スキャン画像処理部
２１５        画像制御電圧履歴取得部
２１６        保守支援情報表示部
２１７        保守履歴ダウンロード部
２１８        障害関連情報アップロード部
２１９        履歴記録方法設定部
２２１        ウィジェット情報登録部
２２２        広告部
２２３        ウィジェット情報提供部
２２４        仲介部
２２５        ウィジェット情報管理テーブル
２３１        属性情報管理ファイル
２３２        保守履歴記憶部
２３３        障害関連情報記憶部
Ｂ            バス
【先行技術文献】
【特許文献】
【０１４２】
【特許文献１】特許第３２９０２１９号公報
【特許文献２】特許第３４４２１７４号公報
【特許文献３】特許第３６０４５０４号公報
【図１】
0005601073.tif 000002
【図２】
0005601073.tif 000003
【図３】
0005601073.tif 000004
【図４】
0005601073.tif 000005
【図５】
0005601073.tif 000006
【図６】
0005601073.tif 000007
【図７】
0005601073.tif 000008
【図８】
0005601073.tif 000009
【図９】
0005601073.tif 000010
【図１０】
0005601073.tif 000011
【図１１】
0005601073.tif 000012
【図１２】
0005601073.tif 000013
【図１３】
0005601073.tif 000014
【図１４】
0005601073.tif 000015
【図１５】
0005601073.tif 000016
【図１６】
0005601073.tif 000017
【図１７】
0005601073.tif 000018
【図１８】
0005601073.tif 000019
【図１９】
0005601073.tif 000020
【図２０】
0005601073.tif 000021
【図２１】
0005601073.tif 000022